(57)【要約】この空気入りタイヤ（１）では、ベルト層（１４）が、タイヤ周方向に対して絶対値で４６［ｄｅｇ］以上８０［ｄｅｇ］以下のベルト角度を有すると共に相互に異符号のベルト角度を有する内径側交差ベルト（１４２）および外径側交差ベルト（１４３）と、タイヤ周方向に対して±５［ｄｅｇ］の範囲内にあるベルト角度を有すると共に内径側交差ベルト（１４２）および外径側交差ベルト（１４３）の間に配置される周方向補強層（１４５）と、タイヤ周方向に対して絶対値で１０［ｄｅｇ］以上４５［ｄｅｇ］以下のベルト角度を有すると共に内径側交差ベルト（１４２）のタイヤ径方向内側に配置される付加ベルト（１４４）とを備える。また、付加ベルト（１４４）と内径側交差ベルト（１４２）とが、異符号のベルト角度を有する。
2014010353.tif 000002
【特許請求の範囲】
【請求項１】
カーカス層と、前記カーカス層のタイヤ径方向外側に配置されるベルト層と、前記ベルト層のタイヤ径方向外側に配置されるトレッドゴムとを備えると共に、タイヤ周方向に延在する少なくとも３本の周方向主溝と、これらの周方向主溝に区画されて成る複数の陸部とを備える空気入りタイヤであって、
前記ベルト層が、
タイヤ周方向に対して絶対値で４６［deg］以上８０［deg］以下のベルト角度を有すると共に相互に異符号のベルト角度を有する内径側交差ベルトおよび外径側交差ベルトと、
タイヤ周方向に対して±５［deg］の範囲内にあるベルト角度を有すると共に前記内径側交差ベルトおよび前記外径側交差ベルトの間に配置される周方向補強層と、
タイヤ周方向に対して絶対値で１０［deg］以上４５［deg］以下のベルト角度を有すると共に前記内径側交差ベルトのタイヤ径方向内側に配置される付加ベルトとを備え、且つ、
前記付加ベルトと前記内径側交差ベルトとが、異符号のベルト角度を有することを特徴とする空気入りタイヤ。
【請求項２】
前記付加ベルトが、前記カーカス層および前記内径側交差ベルトに隣接して配置される請求項１に記載の空気入りタイヤ。
【請求項３】
前記付加ベルトが、最外周方向主溝の配置領域を覆って配置される請求項１または２に記載の空気入りタイヤ。
【請求項４】
前記付加ベルトの幅Ｗｂ４と、前記内径側交差ベルトの幅Ｗｂ２とが、０．７５≦Ｗｂ４／Ｗｂ２≦０．９５の関係を有する請求項１〜３のいずれか一つに記載の空気入りタイヤ。
【請求項５】
前記付加ベルトのベルトコードが、スチールワイヤであり、且つ、１５［本／５０ｍｍ］以上２５［本／５０ｍｍ］以下のエンド数を有する請求項１〜４のいずれか一つに記載の空気入りタイヤ。
【請求項６】
前記カーカス層の最大高さ位置の径Ｙａと最大幅位置の径Ｙｃとが、０．８０≦Ｙｃ／Ｙａ≦０．９０の関係を有する請求項１〜５のいずれか一つに記載の空気入りタイヤ。
【請求項７】
前記カーカス層の最大高さ位置の径Ｙａと、前記周方向補強層の端部位置における前記カーカス層の径Ｙｄとが、０．９５≦Ｙｄ／Ｙａ≦１．０２の関係を有する請求項１〜６のいずれか一つに記載の空気入りタイヤ。
【請求項８】
前記周方向補強層の幅Ｗｓと、前記カーカス層の幅Ｗｃａとが、０．６０≦Ｗｓ／Ｗｃａ≦０．７０の関係を有する請求項１〜７のいずれか一つに記載の空気入りタイヤ。
【請求項９】
前記内径側交差ベルトおよび前記外径側交差ベルトのうち幅広な交差ベルトの幅Ｗｂ２と前記カーカス層の断面幅Ｗｃａとが、０．７３≦Ｗｂ２／Ｗｃａ≦０．８９の関係を有する請求項１〜８のいずれか一つに記載の空気入りタイヤ。
【請求項１０】
前記トレッドゴムの破断伸びが、４００［％］以上である請求項１〜９のいずれか一つに記載の空気入りタイヤ。
【請求項１１】
前記付加ベルトが、スプリット構造を有する請求項１〜１０のいずれか一つに記載の空気入りタイヤ。
【請求項１２】
前記スプリット構造の中抜き部の幅Ｗｂ４_ｓｐと、前記周方向補強層の幅Ｗｓとが、０．４０≦Ｗｂ４_ｓｐ／Ｗｓ≦０．８０の関係を有する請求項１１に記載の空気入りタイヤ。
【請求項１３】
前記内径側交差ベルトのコートゴムの１００％伸張時モジュラスＥ２と、前記スプリット構造の中抜き部に配置されたゴム材料の１００％伸張時モジュラスＥ４_spとが、０．９≦Ｅ４_sp／Ｅ２≦１．１の関係を有する請求項１１または１２に記載の空気入りタイヤ。
【請求項１４】
トレッド幅ＴＷと、前記カーカス層の断面幅Ｗｃａとが、０．８２≦ＴＷ／Ｗｃａ≦０．９２の関係を有する請求項１〜１３のいずれか一つに記載の空気入りタイヤ。
【発明の詳細な説明】
【技術分野】
【０００１】
この発明は、空気入りタイヤに関し、さらに詳しくは、タイヤの耐グルーブクラック性能を向上できる空気入りタイヤに関する。
【背景技術】
【０００２】
トラック・バスなどに装着される低偏平な重荷重用タイヤは、ベルト層に周方向補強層を配置することにより、センター領域におけるタイヤの径成長を抑制して、タイヤ幅方向にかかる接地圧分布を均一化している。かかる構成を採用する従来の空気入りタイヤとして、特許文献１〜６に記載される技術が知られている。
【先行技術文献】
【特許文献】
【０００３】
【特許文献１】特許第４６４２７６０号公報
【特許文献２】特許第４６６３６３８号公報
【特許文献３】特許第４６６３６３９号公報
【特許文献４】特開２００９−１０９２号公報
【特許文献５】特開２００６−１１１２１７号公報
【特許文献６】特開２００６−１８３２１１号公報
【発明の概要】
【発明が解決しようとする課題】
【０００４】
一方で、空気入りタイヤでは、タイヤの耐グルーブクラック性能を向上させるべき課題もある。【０００５】
そこで、この発明は、上記に鑑みてなされたものであって、周方向補強層を有する構成において、タイヤの耐グルーブクラック性能を向上できる空気入りタイヤを提供することを目的とする。
【課題を解決するための手段】
【０００６】
上記目的を達成するため、この発明にかかる空気入りタイヤは、カーカス層と、前記カーカス層のタイヤ径方向外側に配置されるベルト層と、前記ベルト層のタイヤ径方向外側に配置されるトレッドゴムとを備えると共に、タイヤ周方向に延在する少なくとも３本の周方向主溝と、これらの周方向主溝に区画されて成る複数の陸部とを備える空気入りタイヤであって、前記ベルト層が、タイヤ周方向に対して絶対値で４６［deg］以上８０［deg］以下のベルト角度を有すると共に相互に異符号のベルト角度を有する内径側交差ベルトおよび外径側交差ベルトと、タイヤ周方向に対して±５［deg］の範囲内にあるベルト角度を有すると共に前記内径側交差ベルトおよび前記外径側交差ベルトの間に配置される周方向補強層と、タイヤ周方向に対して絶対値で１０［deg］以上４５［deg］以下のベルト角度を有すると共に前記内径側交差ベルトのタイヤ径方向内側に配置される付加ベルトとを備え、且つ、前記付加ベルトと前記内径側交差ベルトとが、異符号のベルト角度を有することを特徴とする。
【発明の効果】
【０００７】
この発明にかかる空気入りタイヤでは、一対の交差ベルト１４２、１４３が高角度ベルトとして機能して、タイヤ幅方向の剛性が確保される。また、周方向補強層１４５および付加ベルト１４４が、低角度ベルトとして機能して、タイヤ周方向の剛性が確保される。これにより、タイヤ周方向とタイヤ幅方向との剛性バランスが適正化されて、タイヤの耐グルーブクラック性能が向上する利点がある。また、タイヤの耐久性能が維持される。
【図面の簡単な説明】
【０００８】
【図１】図１は、この発明の実施の形態にかかる空気入りタイヤを示すタイヤ子午線方向の断面図である。
【図２】図２は、図１に記載した空気入りタイヤのベルト層を示す説明図である。
【図３】図３は、図１に記載した空気入りタイヤのベルト層を示す説明図である。
【図４】図４は、図１に記載した空気入りタイヤの変形例を示す説明図である。
【図５】図５は、図１に記載した空気入りタイヤの変形例を示す説明図である。
【図６】図６は、図１に記載した空気入りタイヤの変形例を示す説明図である。
【図７】図７は、図１に記載した空気入りタイヤの変形例を示す説明図である。
【図８】図８は、この発明の実施の形態にかかる空気入りタイヤの性能試験の結果を示す図表である。
【図９】図９は、この発明の実施の形態にかかる空気入りタイヤの性能試験の結果を示す図表である。
【図１０】図１０は、この発明の実施の形態にかかる空気入りタイヤの性能試験の結果を示す図表である。
【発明を実施するための形態】
【０００９】
以下、この発明につき図面を参照しつつ詳細に説明する。なお、この実施の形態によりこの発明が限定されるものではない。また、この実施の形態の構成要素には、発明の同一性を維持しつつ置換可能かつ置換自明なものが含まれる。また、この実施の形態に記載された複数の変形例は、当業者自明の範囲内にて任意に組み合わせが可能である。
【００１０】
［空気入りタイヤ］
図１は、この発明の実施の形態にかかる空気入りタイヤを示すタイヤ子午線方向の断面図である。同図は、空気入りタイヤ１の一例として、長距離輸送用のトラック、バスなどに装着される重荷重用ラジアルタイヤを示している。なお、符号ＣＬは、タイヤ赤道面である。また、同図では、トレッド端Ｐとタイヤ接地端Ｔとが、一致している。また、同図では、周方向補強層１４５にハッチングを付してある。
【００１１】
この空気入りタイヤ１は、一対のビードコア１１、１１と、一対のビードフィラー１２、１２と、カーカス層１３と、ベルト層１４と、トレッドゴム１５と、一対のサイドウォールゴム１６、１６とを備える（図１参照）。
【００１２】
一対のビードコア１１、１１は、環状構造を有し、左右のビード部のコアを構成する。一対のビードフィラー１２、１２は、ローアーフィラー１２１およびアッパーフィラー１２２から成り、一対のビードコア１１、１１のタイヤ径方向外周にそれぞれ配置されてビード部を補強する。
【００１３】
カーカス層１３は、左右のビードコア１１、１１間にトロイダル状に架け渡されてタイヤの骨格を構成する。また、カーカス層１３の両端部は、ビードコア１１およびビードフィラー１２を包み込むようにタイヤ幅方向内側からタイヤ幅方向外側に巻き返されて係止される。また、カーカス層１３は、スチールあるいは有機繊維材（例えば、ナイロン、ポリエステル、レーヨンなど）から成る複数のカーカスコードをコートゴムで被覆して圧延加工して構成され、絶対値で８５［deg］以上９５［deg］以下のカーカス角度（タイヤ周方向に対するカーカスコードの繊維方向の傾斜角）を有する。
【００１４】
ベルト層１４は、複数のベルトプライ１４２、１４３、１４４、１４５を積層して成り、カーカス層１３の外周に掛け廻されて配置される。ベルト層１４の具体的な構成については、後述する。
【００１５】
トレッドゴム１５は、カーカス層１３およびベルト層１４のタイヤ径方向外周に配置されてタイヤのトレッド部を構成する。一対のサイドウォールゴム１６、１６は、カーカス層１３のタイヤ幅方向外側にそれぞれ配置されて左右のサイドウォール部を構成する。
【００１６】
なお、図１の構成では、空気入りタイヤ１が、タイヤ周方向に延在する７本の周方向主溝２と、これらの周方向主溝２に区画されて成る８つの陸部３とを備えている。また、各陸部３が、タイヤ周方向に連続するリブ、あるいは、複数のラグ溝によりタイヤ周方向に分断されたブロック列となっている（図示省略）。
【００１７】
ここで、周方向主溝とは、５．０［ｍｍ］以上の溝幅を有する周方向溝をいう。周方向主溝の溝幅は、溝開口部に形成された切欠部や面取部を除外して測定される。
【００１８】
また、この空気入りタイヤ１では、タイヤ幅方向の最も外側にある左右の周方向主溝２、２を最外周方向主溝と呼ぶ。また、左右の最外周方向主溝２、２に区画されたタイヤ幅方向外側にある左右の陸部３、３をショルダー陸部と呼ぶ。
【００１９】
［ベルト層］
図２および図３は、図１に記載した空気入りタイヤのベルト層を示す説明図である。これらの図において、図２は、タイヤ赤道面ＣＬを境界としたトレッド部の片側領域を示し、図３は、ベルト層１４の積層構造を示している。なお、図３では、各ベルトプライ１４２〜１４５中の細線が各ベルトプライ１４２〜１４５のベルトコードを模式的に示している。
【００２０】
ベルト層１４は、一対の交差ベルト１４２、１４３と、付加ベルト（低角度ベルト）１４４と、周方向補強層１４５とを積層して成り、カーカス層１３の外周に掛け廻されて配置される（図２参照）。
【００２１】
一対の交差ベルト１４２、１４３は、コートゴムで被覆されたスチールあるいは有機繊維材から成る複数のベルトコードを圧延加工して構成される。また、一対の交差ベルト１４２、１４３は、絶対値で４６［deg］以上８０［deg］以下のベルト角度（タイヤ周方向に対するベルトコードの繊維方向の傾斜角）を有することが好ましく、５１［deg］以上７０［deg］以下のベルト角度を有することがより好ましい。また、一対の交差ベルト１４２、１４３は、相互に異符号のベルト角度を有し、ベルトコードの繊維方向を相互に交差させて積層される（クロスプライ構造）。ここでは、タイヤ径方向内側に位置する交差ベルト１４２を内径側交差ベルトと呼び、タイヤ径方向外側に位置する交差ベルト１４３を外径側交差ベルトと呼ぶ。なお、３枚以上の交差ベルトが積層されて配置されても良い（図示省略）。
【００２２】
また、付加ベルト１４４は、スチールあるいは有機繊維材から成る複数のベルトコードをコートゴムで被覆して圧延加工して構成される。この付加ベルト１４４は、絶対値で１０［deg］以上４５［deg］以下のベルト角度を有することが好ましく、１５［deg］以上３０［deg］以下のベルト角度を有することがより好ましい。また、付加ベルト１４４は、一対の交差ベルト１４２、１４３のタイヤ径方向内側に積層されて配置される。
【００２３】
周方向補強層１４５は、コートゴムで被覆されたスチール製のベルトコードをタイヤ周方向に対して±５［deg］の範囲内で傾斜させつつ螺旋状に巻き廻わして構成される。具体的には、１本あるいは複数本のワイヤが内径側交差ベルト１４２の外周に螺旋状に巻き廻されて、周方向補強層１４５が形成される。また、周方向補強層１４５は、一対の交差ベルト１４２、１４３の間に挟み込まれて配置される。また、周方向補強層１４５は、一対の交差ベルト１４２、１４３の左右のエッジ部よりもタイヤ幅方向内側に配置される。この周方向補強層１４５により、タイヤ周方向の剛性が補強される。
【００２４】
なお、この空気入りタイヤ１では、ベルト層１４が、エッジカバーを有しても良い（図示省略）。一般に、エッジカバーは、スチールあるいは有機繊維材から成る複数のベルトコードをコートゴムで被覆して圧延加工して構成され、絶対値で０［deg］以上５［deg］以下のベルト角度を有する。また、エッジカバーは、外径側交差ベルト１４３（あるいは内径側交差ベルト１４２）の左右のエッジ部のタイヤ径方向外側にそれぞれ配置される。これらのエッジカバーがタガ効果を発揮することにより、トレッド部センター領域とショルダー領域との径成長差が緩和される。
【００２５】
また、付加ベルト１４４が、カーカス層１３および内径側交差ベルト１４２に隣接して配置される（図２および図３参照）。したがって、付加ベルト１４４がベルト層１４のタイヤ径方向の最も内側の層を構成し、また、付加ベルト１４４と、内径側交差ベルト１４２およびカーカス層１３との間には、他のベルトプライが配置されていない。
【００２６】
また、内径側交差ベルト１４２および外径側交差ベルト１４３が、周方向補強層１４５を挟み込んで周方向補強層１４５にそれぞれ隣接している。したがって、内径側交差ベルト１４２および外径側交差ベルト１４３と周方向補強層１４５との間には、他のベルトプライが配置されていない。
【００２７】
［付加ベルトの具体的構成］
また、この空気入りタイヤ１では、相互に隣接する付加ベルト１４４と内径側交差ベルト１４２とが、異符号のベルト角度を有する（図３参照）。例えば、図３の構成では、付加ベルト１４４のベルトコードが、同図下方に向かって右側に傾斜し、また、内径側交差ベルト１４２のベルトコードが、同図下方に向かって左側に傾斜している。このため、付加ベルト１４４のベルトコードと内径側交差ベルト１４２のベルトコードとが、反対方向に傾斜することにより、異符号のベルト角度を有している。
【００２８】
また、付加ベルト１４４が、最外周方向主溝２の配置領域を覆って配置される（図２参照）。具体的には、付加ベルト１４４が、最外周方向主溝２の溝幅の全域に渡って配置される。これにより、最外周方向主溝２の溝下が補強される。なお、付加ベルト１４４が、後述するようなスプリット構造を有する場合（図６および図７）には、付加ベルト１４４の各分割部１４４１、１４４１が、最外周方向主溝２の配置領域を覆って配置される。
【００２９】
また、付加ベルト１４４の幅Ｗｂ４と、内径側交差ベルト１４２の幅Ｗｂ２とが、０．７５≦Ｗｂ４／Ｗｂ２≦０．９５の関係を有する（図３参照）。したがって、付加ベルト１４４は、内径側交差ベルト１４２よりも幅狭である。また、比Ｗｂ４／Ｗｂ２が、０．８０≦Ｗｂ４／Ｗｂ２≦０．９０の関係を有することが好ましい。
【００３０】
また、付加ベルト１４４の幅Ｗｂ４と、周方向補強層１４５の幅Ｗｓとが、１．０２≦Ｗｂ４／Ｗｓの関係を有する（図３参照）。したがって、付加ベルト１４４は、周方向補強層１４５よりも幅広である。また、付加ベルト１４４が、最外周方向主溝２よりもタイヤ幅方向外側まで延在することが好ましい（図２参照）。また、比Ｗｂ４／Ｗｓの上限は、特に限定がないが、上記の比Ｗｂ４／Ｗｂ３および後述する比Ｗｓ／Ｗｂ３との関係で制約を受ける。
【００３１】
ベルトプライの幅は、各ベルトプライの左右の端部のタイヤ回転軸方向の距離であり、タイヤを規定リムに装着して規定内圧を付与すると共に無負荷状態として測定される。
【００３２】
また、ベルトプライがタイヤ幅方向に二分割された構造を有する場合（図示省略）には、ベルトプライの幅が、左右の分割部のタイヤ幅方向外側間の距離として測定される。
【００３３】
また、一般的な空気入りタイヤでは、図１に示すように、各ベルトプライがタイヤ赤道面ＣＬを中心とする左右対称な構造を有する。このため、タイヤ赤道面ＣＬからベルトプライのタイヤ幅方向外側の端部までの距離が、そのベルトプライの半幅となる。
【００３４】
ここで、規定リムとは、ＪＡＴＭＡに規定される「適用リム」、ＴＲＡに規定される「Design  Rim」、あるいはＥＴＲＴＯに規定される「Measuring  Rim」をいう。また、規定内圧とは、ＪＡＴＭＡに規定される「最高空気圧」、ＴＲＡに規定される「TIRE  LOAD  LIMITS  AT  VARIOUS  COLD  INFLATION  PRESSURES」の最大値、あるいはＥＴＲＴＯに規定される「INFLATION  PRESSURES」をいう。また、規定荷重とは、ＪＡＴＭＡに規定される「最大負荷能力」、ＴＲＡに規定される「TIRE  LOAD  LIMITS  AT  VARIOUS  COLD  INFLATION  PRESSURES」の最大値、あるいはＥＴＲＴＯに規定される「LOAD  CAPACITY」をいう。ただし、ＪＡＴＭＡにおいて、乗用車用タイヤの場合には、規定内圧が空気圧１８０［ｋＰａ］であり、規定荷重が最大負荷能力の８８［％］である。
【００３５】
また、付加ベルト１４４のベルトコードが、スチールワイヤであり、且つ、１５［本／５０ｍｍ］以上２５［本／５０ｍｍ］以下のエンド数を有する。
【００３６】
［耐グルーブクラック性能の向上］
トラック・バスなどに装着される近年の重荷重用タイヤは、低い偏平率を有する一方で、周方向補強層をベルト層に備えることにより、トレッド部の形状を保持している。具体的には、周方向補強層が、トレッド部センター領域に配置されてタガ効果を発揮することにより、トレッド部の径成長を抑制してトレッド部の形状を保持している。
【００３７】
かかる構成では、ベルト層のタイヤ周方向の剛性が周方向補強層により増加するため、相対的にタイヤ幅方向の剛性が低くなる。すると、タイヤ周方向とタイヤ幅方向との剛性バランスが不均一となり、タイヤの耐グルーブクラック性能が低下するという課題がある。このような課題は、特に、高内圧かつ高負荷荷重での長期使用条件下にて、顕著に現れる。
【００３８】
この点において、この空気入りタイヤ１では、上記のように、一対の交差ベルト１４２、１４３が高角度ベルトとして機能して、タイヤ幅方向の剛性が確保される。また、周方向補強層１４５および付加ベルト１４４が、低角度ベルトとして機能して、タイヤ周方向の剛性が確保される。これにより、タイヤ周方向とタイヤ幅方向との剛性バランスが適正化されて、タイヤの耐グルーブクラック性能が向上する。
【００３９】
［ラウンド形状のショルダー部］
図４は、図１に記載した空気入りタイヤの変形例を示す説明図である。同図は、ラウンド形状のショルダー部を有する構成を示している。
【００４０】
図１の構成では、図２に示すように、ショルダー部がスクエア形状を有し、タイヤ接地端Ｔとトレッド端Ｐとが一致している。すなわち、スクエア形状のショルダー部を有する構成では、スクエア形状のエッジ部の点がトレッド端Ｐとなる。
【００４１】
しかし、これに限らず、図４に示すように、ショルダー部がラウンド形状を有しても良い。かかる場合には、上記のように、タイヤ子午線方向の断面視にて、トレッド部のプロファイルとサイドウォール部のプロファイルとの交点Ｐ’をとり、この交点Ｐ’からショルダー部に引いた垂線の足をトレッド端Ｐとする。このため、通常は、タイヤ接地端Ｔとトレッド端Ｐとが相互に異なる位置にある。
【００４２】
［付加的事項］
また、図１において、トレッド幅ＴＷと、タイヤ総幅ＳＷとが、０．８３≦ＴＷ／ＳＷ≦０．９５の関係を有する。また、比ＴＷ／ＳＷが、０．８５≦ＴＷ／ＳＷ≦０．９３の範囲にあることが好ましい。
【００４３】
タイヤ総幅ＳＷとは、タイヤを規定リムに装着して規定内圧を付与すると共に無負荷状態としたときのサイドウォール間の（タイヤ側面の模様、文字などのすべての部分を含む）直線距離をいう。
【００４４】
トレッド幅ＴＷとは、左右のトレッド端Ｐ、Ｐのタイヤ回転軸方向の距離であり、タイヤを規定リムに装着して規定内圧を付与すると共に無負荷状態として測定される。
【００４５】
また、トレッド幅ＴＷと、カーカス層１３の断面幅Ｗｃａとが、０．８２≦ＴＷ／Ｗｃａ≦０．９２の関係を有する。
【００４６】
カーカス層１３の断面幅Ｗｃａは、タイヤを規定リムに装着して規定内圧を付与すると共に無負荷状態としたときのカーカス層１３の左右の最大幅位置の直線距離をいう。
【００４７】
また、図１において、カーカス層１３の最大高さ位置の径Ｙａと、カーカス層１３の最大幅位置の径Ｙｃとが、０．８０≦Ｙｃ／Ｙａ≦０．９０の関係を有する。また、カーカス層１３の最大高さ位置の径Ｙａと、周方向補強層１４５の端部位置におけるカーカス層１３の径Ｙｄとが、０．９５≦Ｙｄ／Ｙａ≦１．０２の関係を有する。これらにより、カーカス層１３の断面形状が適正化されて、タイヤの接地圧分布が均一化される。
【００４８】
カーカス層１３の最大高さ位置の径Ｙａは、タイヤを規定リムに装着して規定内圧を付与すると共に無負荷状態としたときの、タイヤ回転軸からタイヤ赤道面ＣＬとカーカス層１３との交点までの距離として測定される。
【００４９】
カーカス層１３の最大幅位置の径Ｙｃは、タイヤを規定リムに装着して規定内圧を付与すると共に無負荷状態としたときの、タイヤ回転軸からカーカス層１３の最大幅位置までの距離として測定される。
【００５０】
周方向補強層１４５の端部位置におけるカーカス層１３の径Ｙｄは、周方向補強層１４５の端部からタイヤ径方向に引いた直線とカーカス層１３との交点を点Ｑ３（図示省略）とし、タイヤを規定リムに装着して規定内圧を付与すると共に無負荷状態としたときの、タイヤ回転軸から点Ｑ３までの距離として測定される。
【００５１】
また、図２において、タイヤ赤道面ＣＬにおけるトレッドプロファイルの外径Ｈｃｃと、タイヤ接地端Ｔにおけるトレッドプロファイルの外径Ｈｓｈとが、０．０１０≦（Ｈｃｃ−Ｈｓｈ）／Ｈｃｃ≦０．０１５の関係を有する（図２参照）。これにより、ショルダー領域の肩落ち量ΔＨ（＝Ｈｃｃ−Ｈｓｈ）が適正化される。
【００５２】
トレッドプロファイルの外径Ｈｃｃ、Ｈｓｈは、タイヤを規定リムに装着して規定内圧を付与すると共に無負荷状態とし、タイヤ回転軸を中心とするプロファイルの直径として測定される。
【００５３】
タイヤ接地端Ｔとは、タイヤが規定リムに装着されて規定内圧を付与されると共に静止状態にて平板に対して垂直に置かれて規定荷重に対応する負荷を加えられたときのタイヤと平板との接触面におけるタイヤ軸方向の最大幅位置をいう。
【００５４】
また、図１において、タイヤ実接地幅Ｗｇ（図示省略）と、タイヤ総幅ＳＷとが、０．６０≦Ｗｇ／ＳＷ≦０．８０の関係を有する。これにより、タイヤ実接地幅Ｗｇとタイヤ総幅ＳＷとの比Ｗｇ／ＳＷが適正化される。
【００５５】
タイヤ実接地幅Ｗｇは、タイヤ全体の接地幅と、すべての周方向主溝２の溝幅の総和との差として算出される。
【００５６】
接地幅は、タイヤが規定リムに装着されて規定内圧を付与した状態において、各陸部のトレッド表面に沿った距離の合計として測定される。
【００５７】
また、ショルダー陸部３の接地幅Ｗｓｈと、トレッド幅ＴＷとが、０．１≦Ｗｓｈ／ＴＷ≦０．２の関係を有する（図１および図２参照）。これにより、ショルダー陸部３の接地幅Ｗｓｈが適正化される。
【００５８】
また、タイヤ赤道面ＣＬに最も近い陸部３の接地幅Ｗｃｃと、タイヤ幅方向の最も外側にある陸部３の接地幅Ｗｓｈとが、０．８０≦Ｗｓｈ／Ｗｃｃ≦１．３０の関係を有する（図２参照）。また、比Ｗｓｈ／Ｗｃｃが、０．９０≦Ｗｓｈ／Ｗｃｃ≦１．２０の範囲にあることが好ましい。
【００５９】
タイヤ赤道面ＣＬに最も近い陸部３とは、タイヤ赤道面ＣＬに陸部３がある場合には、この陸部３をいい、タイヤ赤道面ＣＬ上に周方向主溝２がある場合には、この周方向主溝２により区画された左右の陸部３、３のうち、比較対象となるショルダー陸部３と同一側にある陸部３をいう。例えば、左右非対称なトレッドパターンを有する構成（図示省略）において、タイヤ赤道面ＣＬ上に周方向主溝２がある場合には、タイヤ赤道面ＣＬを境界とする片側領域にて、タイヤ赤道面ＣＬに最も近い陸部３の接地幅Ｗｃｃと、ショルダー陸部３の接地幅Ｗｓｈとの比Ｗｓｈ／Ｗｃｃが測定される。
【００６０】
また、図３において、内径側交差ベルト１４２および外径側交差ベルト１４３のうち幅狭な交差ベルト（図１では、外径側交差ベルト１４３）の幅Ｗｂ３と周方向補強層１４５の幅Ｗｓとが、０．７０≦Ｗｓ／Ｗｂ３≦０．９０の関係を有することが好ましい。これにより、周方向補強層１４５の幅Ｗｓが適正に確保される。
【００６１】
交差ベルト１４２、１４３の幅Ｗｂ２、Ｗｂ３は、各交差ベルト１４２、１４３の左右の端部のタイヤ回転軸方向の距離であり、タイヤを規定リムに装着して規定内圧を付与すると共に無負荷状態として測定される。
【００６２】
また、図１および図３において、内径側交差ベルト１４２および外径側交差ベルト１４３のうち幅広な交差ベルト（図１では、内径側交差ベルト１４２）の幅Ｗｂ２とカーカス層１３の断面幅Ｗｃａとが、０．７３≦Ｗｂ２／Ｗｃａ≦０．８９の関係を有する。また、比Ｗｂ２／Ｗｃａが、０．７８≦Ｗｂ２／Ｗｃａ≦０．８３の範囲内にあることが好ましい。
【００６３】
また、周方向補強層１４５の幅Ｗｓと、カーカス層１３の断面幅Ｗｃａとが、０．６０≦Ｗｓ／Ｗｃａ≦０．７０の関係を有する。
【００６４】
また、この空気入りタイヤ１では、図１において、トレッド幅ＴＷと、周方向補強層１４５の幅Ｗｓとが、０．７０≦Ｗｓ／ＴＷ≦０．９０の関係を有することが好ましい。
【００６５】
また、図３に示すように、周方向補強層１４５が、一対の交差ベルト（内径側交差ベルト１４２および外径側交差ベルト１４３）のうち幅狭な交差ベルト（図１では、外径側交差ベルト１４３）の左右のエッジ部よりもタイヤ幅方向内側に配置される。また、幅狭な交差ベルト１４３の幅Ｗｂ３と、周方向補強層１４５のエッジ部から幅狭な交差ベルト１４３のエッジ部までの距離Ｓとが、０．０３≦Ｓ／Ｗｂ３≦０．１２の範囲にあることが好ましい。これにより、交差ベルト１４３の幅Ｗｂ３の端部と周方向補強層１４５の端部との距離が適正に確保される。なお、この点は、周方向補強層１４５が分割構造を有する構成（図示省略）においても、同様である。
【００６６】
周方向補強層１４５の距離Ｓは、タイヤを規定リムに装着して規定内圧を付与すると共に無負荷状態としたときのタイヤ幅方向の距離として測定される。
【００６７】
なお、図１の構成では、図３に示すように、周方向補強層１４５が、１本のスチールワイヤを螺旋状に巻き廻して構成されている。しかし、これに限らず、周方向補強層１４５が、複数本のワイヤを相互に併走させつつ螺旋状に巻き廻わして構成されても良い（多重巻き構造）。このとき、ワイヤの本数が、５本以下であることが好ましい。また、５本のワイヤを多重巻きしたときの単位あたりの巻き付け幅が、１２［ｍｍ］以下であることが好ましい。これにより、複数本（２本以上５本以下）のワイヤをタイヤ周方向に対して±５［deg］の範囲内で傾斜させつつ適正に巻き付け得る。
【００６８】
また、一対の交差ベルト１４２、１４３のベルトコードがスチールワイヤであり、一対の交差ベルト１４２、１４３が１８［本／５０ｍｍ］以上２８［本／５０ｍｍ］以下のエンド数を有することが好ましく、２０［本／５０ｍｍ］以上２５［本／５０ｍｍ］以下のエンド数を有することがより好ましい。また、周方向補強層１４５のベルトコードが、スチールワイヤであり、且つ、１７［本／５０ｍｍ］以上３０［本／５０ｍｍ］以下のエンド数を有することが好ましい。これにより、各ベルトプライ１４２、１４３、１４５の強度が適正に確保される。
【００６９】
また、一対の交差ベルト１４２、１４３のコートゴムの１００％伸張時モジュラスＥ２、Ｅ３と、周方向補強層１４５のコートゴムの１００％伸張時モジュラスＥｓとが、０．９０≦Ｅｓ／Ｅ２≦１．１０かつ０．９０≦Ｅｓ／Ｅ３≦１．１０の関係を有することが好ましい。また、周方向補強層１４５のコートゴムの１００％伸張時モジュラスＥｓが、４．５［ＭＰａ］≦Ｅｓ≦７．５［ＭＰａ］の範囲内にあることが好ましい。これにより、各ベルトプライ１４２、１４３、１４５のモジュラスが適正化される。
【００７０】
１００％伸張時モジュラスは、ＪＩＳ−Ｋ６２５１（３号ダンベル使用）に従った室温での引張試験により測定される。
【００７１】
また、一対の交差ベルト１４２、１４３のコートゴムの破断伸びλ２、λ３が、λ２≧２００［％］かつλ３≧２００［％］の範囲にあることが好ましい。また、周方向補強層１４５のコートゴムの破断伸びλｓが、λｓ≧２００［％］の範囲にあることが好ましい。これにより、各ベルトプライ１４２、１４３、１４５の耐久性が適正に確保される。
【００７２】
破断伸びは、ＪＩＳ−Ｋ７１６２規定の１Ｂ形（厚さ３ｍｍのダンベル形）の試験片について、ＪＩＳ−Ｋ７１６１に準拠して引張試験機（ＩＮＳＴＲＯＮ５５８５Ｈ、インストロン社製）を用いた引張速度２［ｍｍ／分］での引張試験により測定される。
【００７３】
また、周方向補強層１４５を構成するベルトコードの部材時において引張り荷重１００［Ｎ］から３００［Ｎ］時の伸びが１．０［％］以上２．５［％］以下、タイヤ時（タイヤから取り出したもの）において引張り荷重５００［Ｎ］から１０００［Ｎ］時の伸びが０．５［％］以上２．０［％］以下であることが好ましい。かかるベルトコード（ハイエロンゲーションスチールワイヤ）は、通常のスチールワイヤよりも低荷重負荷時の伸び率がよく、製造時からタイヤ使用時にかけて周方向補強層１４５にかかる負荷に耐えることができるので、周方向補強層１４５の損傷を抑制できる点で好ましい。
【００７４】
ベルトコードの伸びは、ＪＩＳ−Ｇ３５１０に準拠して測定される。
【００７５】
また、この空気入りタイヤ１では、トレッドゴム１５の破断伸びが、４００［％］以上の範囲にあることが好ましく、４５０［％］以上であることがより好ましい。これにより、トレッドゴム１５の強度が確保される。なお、トレッドゴム１５の破断伸びの上限は、特に限定がないが、トレッドゴム１５のゴムコンパウンドの種類により制約を受ける。
【００７６】
また、この空気入りタイヤ１では、トレッドゴム１５の硬度が、６０以上の範囲にあることが好ましい。これにより、トレッドゴム１５の強度が適正に確保される。なお、トレッドゴム１５の硬度の上限は、特に限定がないが、トレッドゴム１５のゴムコンパウンドの種類により制約を受ける。
【００７７】
ゴム硬度とは、ＪＩＳ−Ｋ６２６３に準拠したＪＩＳ−Ａ硬度をいう。
【００７８】
［ベルトエッジクッションの二色構造］
図５は、図１に記載した空気入りタイヤの変形例を示す説明図である。同図は、ベルト層１４のタイヤ幅方向外側の端部の拡大図を示している。また、同図では、周方向補強層１４５およびベルトエッジクッション１９にハッチングを付してある。
【００７９】
図１の構成では、周方向補強層１４５が、一対の交差ベルト１４２、１４３のうち幅狭な交差ベルト１４３の左右のエッジ部よりもタイヤ幅方向内側に配置されている。また、一対の交差ベルト１４２、１４３の間であって一対の交差ベルト１４２、１４３のエッジ部に対応する位置に、ベルトエッジクッション１９が挟み込まれて配置されている。具体的には、ベルトエッジクッション１９が、周方向補強層１４５のタイヤ幅方向外側に配置されて周方向補強層１４５に隣接し、周方向補強層１４５のタイヤ幅方向外側の端部から一対の交差ベルト１４２、１４３のタイヤ幅方向外側の端部まで延在して配置されている。
【００８０】
また、図１の構成では、ベルトエッジクッション１９が、タイヤ幅方向外側に向かうに連れて肉厚を増加させることにより、全体として、周方向補強層１４５よりも肉厚な構造を有している。また、ベルトエッジクッション１９が、各交差ベルト１４２、１４３のコートゴムよりも低い１００％伸張時モジュラスＥを有している。具体的には、ベルトエッジクッション１９の１００％伸張時モジュラスＥと、コートゴムのモジュラスＥｃｏとが、０．６０≦Ｅ／Ｅｃｏ≦０．９５の関係を有している。これにより、一対の交差ベルト１４２、１４３間かつ周方向補強層１４５のタイヤ幅方向外側の領域におけるゴム材料のセパレーションの発生が抑制されている。
【００８１】
これに対して、図５の構成では、図１の構成において、ベルトエッジクッション１９が、応力緩和ゴム１９１と、端部緩和ゴム１９２とから成る二色構造を有する。応力緩和ゴム１９１は、一対の交差ベルト１４２、１４３の間であって周方向補強層１４５のタイヤ幅方向外側に配置されて周方向補強層１４５に隣接する。端部緩和ゴム１９２は、一対の交差ベルト１４２、１４３の間であって、応力緩和ゴム１９１のタイヤ幅方向外側かつ一対の交差ベルト１４２、１４３のエッジ部に対応する位置に配置されて応力緩和ゴム１９１に隣接する。したがって、ベルトエッジクッション１９が、タイヤ子午線方向の断面視にて、応力緩和ゴム１９１と端部緩和ゴム１９２とをタイヤ幅方向に連設して成る構造を有し、周方向補強層１４５のタイヤ幅方向外側の端部から一対の交差ベルト１４２、１４３のエッジ部までの領域を埋めて配置される。
【００８２】
また、図５の構成では、応力緩和ゴム１９１の１００％伸張時モジュラスＥｉｎと、周方向補強層１４５のコートゴムの１００％伸張時モジュラスＥｓとが、Ｅｉｎ＜Ｅｓの関係を有する。具体的には、応力緩和ゴム１９１のモジュラスＥｉｎと、周方向補強層１４５のモジュラスＥｓとが、０．６≦Ｅｉｎ／Ｅｓ≦０．９の関係を有することが好ましい。
【００８３】
また、図５の構成では、応力緩和ゴム１９１の１００％伸張時モジュラスＥｉｎと、各交差ベルト１４２、１４３のコートゴムの１００％伸張時モジュラスＥｃｏとが、Ｅｉｎ＜Ｅｃｏの関係を有する。具体的には、応力緩和ゴム１９１のモジュラスＥｉｎと、コートゴムのモジュラスＥｃｏとが、０．６≦Ｅｉｎ／Ｅｃｏ≦０．９の関係を有することが好ましい。
【００８４】
また、図５の構成では、端部緩和ゴム１９２の１００％伸張時モジュラスＥｏｕｔと、応力緩和ゴム１９１の１００％伸張時モジュラスＥｉｎとが、Ｅｏｕｔ＜Ｅｉｎの関係を有することが好ましい。また、応力緩和ゴム１９１の１００％伸張時モジュラスＥｉｎが、４．０［ＭＰａ］≦Ｅｉｎ≦５．５［ＭＰａ］の範囲内にあることが好ましい。
【００８５】
図５の構成では、周方向補強層１４５のタイヤ幅方向外側に応力緩和ゴム１９１が配置されるので、周方向補強層１４５のエッジ部かつ交差ベルト１４２、１４３間における周辺ゴムの剪断歪みが緩和される。また、交差ベルト１４２、１４３のエッジ部に対応する位置に端部緩和ゴム１９２が配置されるので、交差ベルト１４２、１４３のエッジ部における周辺ゴムの剪断歪みが緩和される。これらにより、周方向補強層１４５の周辺ゴムのセパレーションが抑制される。
【００８６】
［付加ベルトのスプリット構造］
図６および図７は、図１に記載した空気入りタイヤの変形例を示す説明図である。これらの図において、図６は、タイヤ赤道面ＣＬを境界としたトレッド部の片側領域を示し、図７は、ベルト層１４の積層構造を示している。
【００８７】
図１の構成では、図３に示すように、付加ベルト１４４が単一構造を有し、タイヤ赤道面ＣＬを中心として左右対称に配置されて、左右の端部を周方向補強層１４５の端部よりもタイヤ幅方向外側の位置まで延在させている。
【００８８】
しかし、これに限らず、図６および図７に示すように、付加ベルト１４４がスプリット構造を有しても良い。
【００８９】
例えば、図７の構成では、付加ベルト１４４が、一対の分割部１４４１、１４４１から成り、タイヤ赤道面ＣＬを中心とするタイヤ左右の領域にそれぞれ配置されている。また、左右の分割部１４４１、１４４１が、周方向補強層１４５の左右の端部を覆って配置されている。したがって、付加ベルト１４４の幅Ｗｂ４が、周方向補強層１４５の幅Ｗｓよりも大きい。
【００９０】
また、上記の構成では、スプリット構造の中抜き部の幅（左右の分割部１４４１、１４４１の配置間隔）Ｗｂ４_ｓｐと、周方向補強層１４５の幅Ｗｓとが、０．４０≦Ｗｂ４_ｓｐ／Ｗｓ≦０．８０の関係を有することが好ましく、０．５０≦Ｗｂ４_ｓｐ／Ｗｓ≦０．７０の関係を有することがより好ましい。
【００９１】
また、上記の構成では、内径側交差ベルト１４２のコートゴムの１００％伸張時モジュラスＥ２と、スプリット構造の中抜き部に配置されたゴム材料１４４２の１００％伸張時モジュラスＥ４_spとが、０．９≦Ｅ４_sp／Ｅ２≦１．１の関係を有する。このゴム材料１４４２は、付加ベルト１４４の左右の分割部１４４１、１４４１と、カーカス層１３（コートゴムを含む。）と、内径側交差ベルト１４２（コートゴムを含む。）とに囲まれた領域に配置されるゴム材料であり、グリーンタイヤ成型工程にて、ベルト層１４と共にカーカス層１３の外周に積層されて配置される。
【００９２】
［効果］
以上説明したように、この空気入りタイヤ１は、カーカス層１３と、カーカス層１３のタイヤ径方向外側に配置されるベルト層１４と、ベルト層１４のタイヤ径方向外側に配置されるトレッドゴム１５とを備える（図１参照）。また、タイヤ周方向に延在する少なくとも３本の周方向主溝２と、これらの周方向主溝２に区画されて成る複数の陸部３とを備える。また、ベルト層１４が、タイヤ周方向に対して絶対値で４６［deg］以上８０［deg］以下のベルト角度を有すると共に相互に異符号のベルト角度を有する内径側交差ベルト１４２および外径側交差ベルト１４３と、タイヤ周方向に対して±５［deg］の範囲内にあるベルト角度を有すると共に内径側交差ベルト１４２および外径側交差ベルト１４３の間に配置される周方向補強層１４５と、タイヤ周方向に対して絶対値で１０［deg］以上４５［deg］以下のベルト角度を有すると共に内径側交差ベルト１４２のタイヤ径方向内側に配置される付加ベルト１４４とを備える（図２および図３参照）。また、付加ベルト１４４と内径側交差ベルト１４２とが、異符号のベルト角度を有する。
【００９３】
かかる構成では、一対の交差ベルト１４２、１４３が高角度ベルトとして機能して、タイヤ幅方向の剛性が確保される。また、周方向補強層１４５および付加ベルト１４４が、低角度ベルトとして機能して、タイヤ周方向の剛性が確保される。これにより、タイヤ周方向とタイヤ幅方向との剛性バランスが適正化されて、タイヤの耐グルーブクラック性能が向上する利点がある。また、タイヤの耐久性能が維持される。
【００９４】
特に、上記の構成では、一対の交差ベルト１４２、１４３が高角度ベルトとして機能するため、他の高角度ベルト（例えば、絶対値で４５［deg］以上７０［deg］以下のベルト角度を有し、カーカス層と内径側交差ベルトとの間に配置されるベルトプライ）を省略できる。これにより、タイヤ重量を軽減できる利点がある。
【００９５】
また、上記の構成では、タイヤ幅方向に大きく傾斜するベルト角度をもつ一対の交差ベルト１４２、１４３と、タイヤ周方向に大きく傾斜するベルト角度をもつ周方向補強層１４５および付加ベルト１４４とがタイヤ径方向に交互に積層される。すると、例えば、周方向補強層が一対の交差ベルトのタイヤ径方向内側あるいはタイヤ径方向外側に配置される構成（図示省略）と比較して、これらのベルトプライ１４２、１４３、１４４、１４５間におけるタイヤ径方向の剛性分布が均一化される。これにより、タイヤのベルト耐久性が向上する利点がある。
【００９６】
また、上記の構成では、付加ベルト１４４が一対の交差ベルト１４２、１４３のタイヤ径方向内側に配置されるので、付加ベルトが一対の交差ベルトのタイヤ径方向外側に配置される構成（図示省略）と比較して、交差ベルトの角度変化によって起こる、溝底にかかる歪が小さくなり、タイヤの耐グルーブクラック性能が向上する利点がある。
【００９７】
また、上記の構成では、相互に隣接する付加ベルト１４４と内径側交差ベルト１４２とが、異符号のベルト角度を有するので、付加ベルトと外径側交差ベルトとが同符号のベルト角度を有する構成（図示省略）と比較して、付加ベルト１４４および内径側交差ベルト１４２によるタガ効果が大きい。すると、付加ベルト１４４の配置領域におけるタイヤの径成長が抑制されて、トレッド部センター領域とショルダー領域との接地圧が均一化される。これにより、タイヤの耐グルーブクラック性能が向上する利点がある。
【００９８】
また、この空気入りタイヤ１では、付加ベルト１４４が、カーカス層１３および内径側交差ベルト１４２に隣接して配置される（図２および図３参照）。かかる構成では、例えば、内径側交差ベルトとカーカス層との間に高角度ベルト（絶対値で４５［deg］以上７０［deg］以下のベルト角度）を有する構成と比較して、タイヤ周方向剛性が上がり、また、タイヤ周方向と幅方向の剛性バランスが適性化されて、タイヤの耐グルーブクラック性能が向上する利点がある。
【００９９】
また、この空気入りタイヤ１では、付加ベルト１４４が、最外周方向主溝２の配置領域を覆って配置される（図２参照）。これにより、最外周方向主溝２の溝下が補強される利点がある。具体的には、付加ベルト１４４が最外周方向主溝２の溝下を補強することにより、タイヤインフレート時にて、タイヤ径成長による最外周方向主溝２の開きが抑制されて、グルーブクラックの発生が抑制される。
【０１００】
また、この空気入りタイヤ１では、付加ベルト１４４の幅Ｗｂ４と、内径側交差ベルト１４２の幅Ｗｂ２とが、０．７５≦Ｗｂ４／Ｗｂ２≦０．９５の関係を有する（図３参照）。これにより、比Ｗｂ４／Ｗｂ２が適正化されて、タイヤ周方向とタイヤ幅方向との剛性バランスが適正化される利点がある。すなわち、０．７５≦Ｗｂ４／Ｗｂ２であることにより、付加ベルト１４４によるタイヤ周方向の剛性の補強効果が確保され、一方で、Ｗｂ４／Ｗｂ２≦０．９５であることにより、タイヤ周方向の剛性が過大となることが防止される。
【０１０１】
また、この空気入りタイヤ１では、付加ベルト１４４のベルトコードが、スチールワイヤであり、且つ、１５［本／５０ｍｍ］以上２５［本／５０ｍｍ］以下のエンド数を有する。これにより、付加ベルト１４４のタイヤ周方向の剛性が適正に確保される利点がある。
【０１０２】
また、この空気入りタイヤ１では、カーカス層１３の最大高さ位置の径Ｙａと最大幅位置の径Ｙｃとが、０．８０≦Ｙｃ／Ｙａ≦０．９０の関係を有する（図１参照）。これにより、カーカス層１３の断面形状が適正化されて、タイヤの接地圧分布が均一化される利点がある。
【０１０３】
また、この空気入りタイヤ１では、カーカス層１３の最大高さ位置の径Ｙａと、周方向補強層１４５の端部位置におけるカーカス層１３の径Ｙｄとが、０．９５≦Ｙｄ／Ｙａ≦１．０２の関係を有する（図１参照）。これにより、カーカス層１３の断面形状が適正化されて、タイヤの接地圧分布が均一化される利点がある。
【０１０４】
また、この空気入りタイヤ１では、周方向補強層１４５の幅Ｗｓと、カーカス層１３の幅Ｗｃａとが、０．６０≦Ｗｓ／Ｗｃａ≦０．７０の関係を有する（図１参照）。これにより、比Ｗｓ／Ｗｃａが適正化される利点がある。すなわち、０．６０≦Ｗｓ／Ｗｃａであることにより、周方向補強層１４５の幅Ｗｓが確保され、周方向補強層１４５の端部付近（トレッド幅ＴＷの１／４の領域）におけるトレッド部のせり上がりが抑制されて、ショルダー陸部３の接地面圧が適正に確保される。また、Ｗｓ／Ｗｃａ≦０．７０であることにより、周方向補強層１４５の中央部と端部との径差が緩和され、タイヤ転動時の繰り返し歪みに起因する周方向補強層１４５への張力が低減されて、周方向補強層１４５のエッジ部におけるベルトコードの疲労破断が抑制される。
【０１０５】
また、この空気入りタイヤ１では、内径側交差ベルト１４２および外径側交差ベルト１４３のうち幅広な交差ベルト（図１では、内径側交差ベルト１４２）の幅Ｗｂ２とカーカス層１３の断面幅Ｗｃａとが、０．７３≦Ｗｂ２／Ｗｃａ≦０．８９の関係を有する。これにより、比Ｗｂ２／Ｗｃａが適正化される利点がある。すなわち、０．７３≦Ｗｂ２／Ｗｃａであることにより、幅広な交差ベルトの幅Ｗｂ２が確保されて、タイヤ周方向の剛性が確保される。また、Ｗｂ２／Ｗｃａ≦０．８９であることにより、タイヤ周方向の剛性が過大となることが防止される。
【０１０６】
また、この空気入りタイヤ１では、トレッドゴム１５の破断伸びが、４００［％］以上である。これにより、トレッドゴム１５の強度が確保される利点がある。
【０１０７】
また、この空気入りタイヤ１では、付加ベルト１４４が、スプリット構造を有する（図６および図７参照）。これにより、トレッド部センター領域とショルダー領域との径成長差を効果的に調整して均一化できる利点がある。
【０１０８】
また、この空気入りタイヤ１では、スプリット構造の中抜き部の幅Ｗｂ４_ｓｐと、周方向補強層１４５の幅Ｗｓとが、０．４０≦Ｗｂ４_ｓｐ／Ｗｓ≦０．８０の関係を有する（図７参照）。これにより、トレッド部センター領域とショルダー領域との径成長差を効果的に調整して均一化できる利点がある。
【０１０９】
また、この空気入りタイヤ１では、内径側交差ベルト１４２のコートゴムの１００％伸張時モジュラスＥ２と、スプリット構造の中抜き部に配置されたゴム材料１４４２の１００％伸張時モジュラスＥ４_spとが、０．９≦Ｅ４_sp／Ｅ２≦１．１の関係を有する。かかる構成では、これまで以上にタイヤ周方向と幅方向の剛性バランスが適性化されて、タイヤの耐グルーブクラック性能が向上する利点がある。
【０１１０】
また、この空気入りタイヤ１では、トレッド幅ＴＷと、カーカス層１３の断面幅Ｗｃａとが、０．８２≦ＴＷ／Ｗｃａ≦０．９２の関係を有する（図１参照）。かかる構成では、ベルト層１４が周方向補強層１４５を有することにより、センター領域の径成長が抑制される。さらに、比ＴＷ／Ｗｃａが上記の範囲内にあることにより、センター領域とショルダー領域との径成長差が緩和されて、タイヤ幅方向にかかる接地圧分布が均一化される。これにより、タイヤの接地圧分布が均一化される利点がある。すなわち、０．８２≦ＴＷ／Ｗｃａであることにより、タイヤ内エアボリュームが確保され、撓みが抑制される。また、ＴＷ／Ｗｃａ≦０．９２であることにより、ショルダー部のせり上がりが抑制されて、接地圧分布が均一化される。
【０１１１】
また、この空気入りタイヤ１では、周方向補強層１４５のベルトコードが、スチールワイヤであり、且つ、１７［本／５０ｍｍ］以上３０［本／５０ｍｍ］以下のエンド数を有する。これにより、周方向補強層１４５によるセンター領域の径成長の抑制作用が適正に確保される利点がある。
【０１１２】
また、この空気入りタイヤ１では、周方向補強層１４５を構成するベルトコードの部材時における引張り荷重１００［Ｎ］から３００［Ｎ］時の伸びが、１．０［％］以上２．５［％］以下である。これにより、周方向補強層１４５によるトレッド部センター領域の径成長の抑制作用が適正に確保される利点がある。
【０１１３】
また、この空気入りタイヤ１では、周方向補強層１４５を構成するベルトコードのタイヤ時における引張り荷重５００［Ｎ］から１０００［Ｎ］時の伸びが、０．５［％］以上２．０［％］以下である。これにより、周方向補強層１４５によるセンター領域の径成長の抑制作用が適正に確保される利点がある。
【０１１４】
また、この空気入りタイヤ１では、周方向補強層１４５が、一対の交差ベルト（内径側交差ベルト１４２および外径側交差ベルト１４３）のうち幅狭な交差ベルト（図１では、外径側交差ベルト１４３）の左右のエッジ部よりもタイヤ幅方向内側に配置される（図３参照）。また、空気入りタイヤ１は、一対の交差ベルト１４２、１４３の間であって周方向補強層１４５のタイヤ幅方向外側に配置されて周方向補強層１４５に隣接する応力緩和ゴム１９１と、一対の交差ベルト１４２、１４３の間であって応力緩和ゴム１９１のタイヤ幅方向外側かつ一対の交差ベルト１４２、１４３のエッジ部に対応する位置に配置されて応力緩和ゴム１９１に隣接する端部緩和ゴム１９２とを備える（図５参照）。
【０１１５】
かかる構成では、周方向補強層１４５が一対の交差ベルト１４２、１４３のうち幅狭な交差ベルト１４３の左右のエッジ部よりもタイヤ幅方向内側に配置されることにより、周方向補強層１４５のエッジ部における周辺ゴムの疲労破断が抑制される利点がある。また、周方向補強層１４５のタイヤ幅方向外側に応力緩和ゴム１９１が配置されるので、周方向補強層１４５のエッジ部かつ交差ベルト１４２、１４３間における周辺ゴムの剪断歪みが緩和される。また、交差ベルト１４２、１４３のエッジ部に対応する位置に端部緩和ゴム１９２が配置されるので、交差ベルト１４２、１４３のエッジ部における周辺ゴムの剪断歪みが緩和される。これらにより、周方向補強層１４５の周辺ゴムのセパレーションが抑制される利点がある。
【０１１６】
また、この空気入りタイヤ１では、応力緩和ゴム１９１の１００％伸張時モジュラスＥｉｎと、一対の交差ベルト（内径側交差ベルト１４２および外径側交差ベルト１４３）のコートゴムの１００％伸張時モジュラスＥｃｏとが、Ｅｉｎ＜Ｅｃｏの関係を有する（図５参照）。これにより、応力緩和ゴム１９１のモジュラスＥｉｎが適正化されて、周方向補強層１４５のエッジ部かつ交差ベルト１４２、１４３間における周辺ゴムの剪断歪みが緩和される利点がある。
【０１１７】
また、この空気入りタイヤ１では、応力緩和ゴム１９１の１００％伸張時モジュラスＥｉｎと、一対の交差ベルト（内径側交差ベルト１４２および外径側交差ベルト１４３）のコートゴムの１００％伸張時モジュラスＥｃｏとが、０．６０≦Ｅｉｎ／Ｅｃｏ≦０．９０の関係を有する（図５参照）。これにより、応力緩和ゴム１９１のモジュラスＥｉｎが適正化されて、周方向補強層１４５のエッジ部かつ交差ベルト１４２、１４３間における周辺ゴムの剪断歪みが緩和される利点がある。
【０１１８】
また、この空気入りタイヤ１では、応力緩和ゴム１９１の１００％伸張時モジュラスＥｉｎが、４．０［ＭＰａ］≦Ｅｉｎ≦５．５［ＭＰａ］の範囲内にある（図５参照）。これにより、応力緩和ゴム１９１のモジュラスＥｉｎが適正化されて、周方向補強層１４５のエッジ部かつ交差ベルト１４２、１４３間における周辺ゴムの剪断歪みが緩和される利点がある。
【０１１９】
また、この空気入りタイヤ１では、周方向補強層１４５が、一対の交差ベルト（内径側交差ベルト１４２および外径側交差ベルト１４３）のうち幅狭な交差ベルト（図１では、外径側交差ベルト１４３）の左右のエッジ部よりもタイヤ幅方向内側に配置される（図１参照）。また、幅狭な交差ベルト１４３の幅Ｗｂ３と、周方向補強層１４５のエッジ部から幅狭な交差ベルト１４３のエッジ部までの距離Ｓとが、０．０３≦Ｓ／Ｗｂ３≦０．１２の範囲にある（図３参照）。これにより、交差ベルト１４２、１４３のエッジ部と周方向補強層１４５のエッジ部との位置関係Ｓ／Ｗｂ３が適正化される利点がある。すなわち、０．０３≦Ｓ／Ｗｂ３であることにより、周方向補強層１４５の端部と交差ベルト１４３の端部との距離が適正に確保されて、これらのベルトプライ１４５、１４３の端部における周辺ゴムのセパレーションが抑制される。また、Ｓ／Ｗｂ３≦０．１２であることにより、交差ベルト１４３の幅Ｗｂ３に対する周方向補強層１４５の幅Ｗｓが確保されて、周方向補強層１４５によるタガ効果が適正に確保される。
【０１２０】
［適用対象］
また、この空気入りタイヤ１は、タイヤが正規リムにリム組みされると共にタイヤに正規内圧および正規荷重が付与された状態にて、偏平率が４０［％］以上７５［％］以下である重荷重用タイヤに適用されることが好ましい。重荷重用タイヤでは、乗用車用タイヤと比較して、タイヤ使用時の負荷が大きい。このため、周方向補強層の配置領域と、周方向補強層よりもタイヤ幅方向外側の領域との径差が大きくなり易い。また、上記のような低い偏平率を有するタイヤでは、接地形状が鼓形状となり易い。そこで、かかる重荷重用タイヤを適用対象とすることにより、周方向補強層１４５の作用効果が顕著に得られる。
【実施例】
【０１２１】
図８〜図１０は、この発明の実施の形態にかかる空気入りタイヤの性能試験の結果を示す図表である。【０１２２】
この性能試験では、相互に異なる複数の試験タイヤについて、耐グルーブクラック性能に関する評価が行われた。この評価では、タイヤサイズ３１５／６０Ｒ２２．５の試験タイヤがリムサイズ２２．５”×９．００”のリムに組み付けられ、この試験タイヤに空気圧９００［ｋＰａ］が付与される。【０１２３】
また、試験車両である４×２トラクター・トレーラーが、試験タイヤをドライブ軸に装着し、試験タイヤに荷重３４．８１［ｋＮ］を負荷した状態で、一般舗装路を１０万［ｋｍ］走行する。その後に、最外周方向主溝の溝底に発生した長さ３［ｍｍ］以上のクラックの発生数が測定される。そして、この測定結果に基づいて従来例を基準（１００）とした指数評価が行われる。この評価は、数値が大きいほど好ましい。特に、評価が１０５以上（基準値１００に対して＋５ポイント以上）であれば、従来例に対して十分な優位性があり、評価が１１０以上であれば、従来例に対して飛躍的な優位性があるといえる。【０１２４】
実施例１の試験タイヤは、図１〜図３に記載した構成を有する。また、主要寸法が、ＴＷ＝２７５［ｍｍ］、Ｗｃａ＝３２０［ｍｍ］に設定されている。実施例２〜３０の試験タイヤは、実施例１の試験タイヤの変形例である。【０１２５】
従来例の試験タイヤは、図１〜図３の構成において、付加ベルト１４４が、外径側交差ベルト１４３のタイヤ径方向外側に配置される。このため、内径側交差ベルト１４２には、付加ベルト１４４が隣接していない。また、内径側交差ベルト１４２とカーカス層１３との間に、６０［deg］のベルト角度をもつ高角度ベルトを備える。したがって、ベルト層１４が、５枚のベルトプライを積層した構造を有している。また、一対の交差ベルト１４２、１４３が、タイヤ周方向寄り（４５［deg］以下）のベルト角度を有している。【０１２６】
試験結果が示すように、実施例１〜３０の試験タイヤでは、タイヤの耐グルーブクラック性能が向上することが分かる。
【符号の説明】
【０１２７】
１：空気入りタイヤ、２：周方向主溝、３：陸部、１１：ビードコア、１２：ビードフィラー、１２１：ローアーフィラー、１２２：アッパーフィラー、１３：カーカス層、１４：ベルト層、１４２：内径側交差ベルト、１４３：外径側交差ベルト、１４４：付加ベルト、１４４１：分割部、１４４２：ゴム材料、１４５：周方向補強層、１５：トレッドゴム、１６：サイドウォールゴム、１９：ベルトエッジクッション、１９１：応力緩和ゴム、１９２：端部緩和ゴム
【図１】
2014010353.tif 000003
【図２】
2014010353.tif 000004
【図３】
2014010353.tif 000005
【図４】
2014010353.tif 000006
【図５】
2014010353.tif 000007
【図６】
2014010353.tif 000008
【図７】
2014010353.tif 000009
【図８】
2014010353.tif 000010
【図９】
2014010353.tif 000011
【図１０】
2014010353.tif 000012
【国際調査報告】
2014010353.tif 000013
2014010353.tif 000014
2014010353.tif 000015
2014010353.tif 000016